(57)【要約】      （修正有）【課題】例えば段ボール製の保冷箱のような二重の内・外箱を夫々折畳んだ状態で包装し、しかも手提げの機能を持つように指を通す長孔を設けて持ち運び易くした段ボール製の手提げ包装箱を提供する。【解決手段】所定形状の段ボール紙を折り曲げて形成した直方体状の包装箱であって、この包装箱は、表面と背面及びこれらを囲む側壁を備え、表面に窓孔を備え、かつ、一方の側壁寄りで表面及び背面の対応する位置に夫々長孔を備え、他方の側壁に開口部を備える包装箱である。【選択図】図７
0003136733.tif 000002
【実用新案登録請求の範囲】
【請求項１】
所定形状の段ボール紙を折り曲げて形成した直方体状の包装箱であって、
この包装箱は、表面と背面及びこれらを囲む側壁を備え、
前記表面に窓孔を備え、
かつ、一方の側壁寄りで前記表面及び前記背面の対応する位置に夫々長孔を備え、
他方の側壁に開口部を備える、包装箱。
【考案の詳細な説明】
【技術分野】
【０００１】
本考案は、段ボールの折り畳み体を複数枚重ねて収納するための包装箱に関する。詳しくは、例えばケーキ等の生菓子、蟹等の生鮮魚介類、精肉類、加工食品、果実、野菜、飲料用のペットボトル等の保冷を必要とする段ボール製の折畳み式保冷箱の内・外箱を夫々折り畳んだ状態で重ねて収納し、それを提げて使用する手提げ包装箱に関する。
【背景技術】
【０００２】
段ボール製の保冷箱の使用形態は多岐にわたる。例えば、外郭がプラスチック製の頑丈な箱に氷あるいは、水と保冷剤をビニールシートで密封したパック状の凍結アイスパックを入れ、蟹等の生鮮魚介類、精肉類、加工食品、果実等を詰め込んでこれらの鮮度を保つ。このプラスチック製の頑丈な箱は、釣りやピクニック用としても重宝され、飲料水、缶ビール、食料等を詰め込み、後で空になったところで釣った魚を入れて持ち帰るために使用される。また、旅先のみやげ物店等で当地の生鮮魚介類、果物等を発泡スチロール製の箱に詰め込み、その中に入れた氷やアイスパックによって鮮度を保つことが多い。あるいは、発泡スチロール、発泡ポリエチレン製の箱の中に保冷剤を入れ生鮮魚介類、果物等を宅急便（登録商標）で翌日に送り届けるためにも使用される。発泡スチロール製の保冷箱の大きさは並みのもので、幅２１ｃｍ、奥行き１５ｃｍ、高さ１７ｃｍのものがあり、また、大きいものでは、幅１０１ｃｍ、奥行き５９ｃｍ、高さ５０ｃｍのものがある。この大きいサイズのものは、イベント用としても使用され、保冷箱は多用途に亘って便利に使用されている。一方、同様な用途に段ボール製の保冷箱が使用されており、保冷作用を促進するために二重構造の箱であって、必要に応じて夫々内箱と外箱とを段ボール製の折り畳んだ状態から折り曲げて内、外入れ子にして二重箱に組み上げる使い方をする。
【０００３】
このような保冷箱に使用される断熱性積層シートが、先に提案されている（例えば、特許文献１参照）。これは、ポリエステル層の外層とポリオレフィンの内層との間にポリエチレンの中間層を介在させた断熱性積層シートであって、これに自由に折り畳み加工をして使用できるものである。
【０００４】
【特許文献１】特開平１０−３２９２８４号公報
【考案の開示】
【考案が解決しようとする課題】
【０００５】
以上の通りであって、従来の保冷箱に関しては次のような問題点がある。
【０００６】
即ち、旅先のみやげ物店等で当地の生鮮魚介類、果物等を箱に詰め込む際に、その都度段ボール製保冷箱の中間折畳み体から二重箱に組み上げる。その際、夫々内外箱の折畳み体は夫々ばらの状態では嵩張るし、店先では見栄えも悪い。あるいは釣りに出掛ける際は、夫々内・外箱を折畳み体のままで持ち運び、現地で二重箱に組み立てて釣った魚を入れる。この場合、出掛ける際に夫々内・外箱の折畳み体をばらに開いた状態で車内に持ち込むので嵩張って場所をとる。
【０００７】
また、段ボール製の保冷箱の内・外箱の中間折畳み体は、広幅なサイズになると片手で掴んで持上げるには重い。
【０００８】
そこで、本考案の手提げ包装箱は上記事情に鑑みなされたもので、例えば段ボール製の保冷箱のような二重の内・外箱を夫々折畳んだ状態で包装し、しかも手提げの機能を持つように指を通す長孔を設けて持ち運び易くした段ボール製の手提げ包装箱を提供することを目的とする。
【課題を解決するための手段】
【０００９】
そこで、本考案者等は、例えば保冷箱の折り目を利用して、夫々内・外箱を略扁平な矩形状に、しかも夫々近似のサイズに折畳むことに着目した。そして、それらを重ねて別の箱へ包装し、更にこの箱に手提げ孔を設ける構想へと展開した。以上の構想の基に試作したところ、手提げ包装箱はコンパクトでしかも見栄えがよいという知見を得た。本考案の手提げ包装箱はかかる知見を基に具現化したもので、請求項１の考案は、所定形状の段ボール紙を折り曲げて形成した直方体状の包装箱であって、この包装箱は、表面と背面及びこれらを囲む側壁を備え、前記表面に窓孔を備え、かつ、一方の側壁寄りで前記表面及び前記背面の対応する位置に夫々長孔を備え、他方の側壁に開口部を備える包装箱である。
【考案の効果】
【００１０】
本考案にかかわる手提げ包装箱によれば、例えば保冷箱の折り目を利用して、内・外箱を夫々略扁平な矩形状に折畳んだ状態でコンパクトに包装することができるので見栄えがよい。例えば保冷箱の内・外箱の夫々中間折畳み体を広げたまま仮置きする必要がないので、店頭や車内の狭いスペースを広く使うことができる。一方、手提げ包装箱には、窓孔を設けたので、箱を開口することなく外から中身を確認することができる。また、指先を挿入することができるように長穴を包装箱に設けたので手提げにして提げることができるので便利である。
【考案を実施するための最良の形態】
【００１１】
本考案の実施の形態を、添付図面に例示した本考案の実施例に基づいて以下に具体的に説明する。
【実施例】
【００１２】
先ず、本考案の実施例ついて、図１〜図８を参照しながら説明する。図１は、本考案の実施例に係る保冷箱２００の斜視図である。図２は、同上、保冷箱の外箱３００の中に中箱４００を入れ子にした状態を示す斜視図である。図３は、同上、中箱の展開図で段ボール紙４１０である。図４は、同上、中箱の中間折畳み体４２０の斜視図である。図５は、同上、外箱の展開図で、段ボール紙３１０である。図６は、同上、外箱の中間折畳み体３２０の斜視図である。図７は、同上、包装箱１００の一方の側壁を開口した状態を示す斜視図である。図８は、同上、包装箱１００の表面における中央部に窓孔を示し、他方の側壁近傍の表面及び背面に手提げ用の長孔を示す斜視図である。
【００１３】
段ボール製の箱として、例えばケーキ等の生菓子、蟹等の生鮮魚介類、精肉類、加工食品、果実、野菜、飲料用のペットボトル等の保冷を必要とするものを入れるための保冷箱を図１に示す。保冷箱２００は略直方体状の箱体２１０からなり、この中は二重壁構造の空洞でこの中に保冷するものを入れる。この箱体２１０の上部中央長手方向に取っ手２２０を備え、この取っ手２２０の中央に長孔２２１、２２を備える。取っ手２２０の両端に係止片２２２、２２２を備え、箱体２１０の側面から斜め上方に延びる外蓋２１５、２１５に開けた孔１２１６、２１６に係止片２２２、２２２を係止する。この係止関係の詳細は、外箱の展開図である段ボール紙３１０として図５に示すように、上辺の取っ手２２０の両端の係止片２２２、２２２の夫々内側に溝２２３、２２３を備え、更に夫々左右の外蓋２１５に係止孔２１６を備える。取っ手２２０はこの様な構成になっており、段ボール紙３１０から外箱３００へと折り上げる。次いで、両方の取っ手２２０、２２０を合掌させて重ねた状態で両端の係止片２２２、２２２を夫々、係止孔２１６、２１６へ装着させて夫々溝２２３、２２３の部位において取っ手２２０を両側の外蓋２１５、２１５に係止させる。取っ手２２０の長孔２２１、２２２に指先を挿入して保冷箱２００を提げる。
【００１４】
保冷箱２００の中を図２に示す。外箱３００の中に、一回り小さい中箱４００を入れ子状態に装着し、二重壁構造の保冷箱２００として形成する。保冷箱２００の中箱４００と外箱３００との間の前後、左右に空隙が形成され、これらの空隙が空気断熱層の機能を有し、保冷箱として機能する。
【００１５】
一方の中箱４００を形成するために展開図である中箱段ボール紙４１０を図３に示す。中箱段ボール紙４１０は左右対称形で、中央の矩形状の部位から、左右に異形状の片が拡がる。即ち、全体が略矩形状をした一枚の段ボールから四隅を削り取った形状で、所定の箇所に複数の折り目を設けてある。図中の点線は折り目を示し、中央の底面４１１の上下に折り目Ａ、Ａと左右に折り目Ｂ、Ｂ、Ｂを設ける。そして、折り目Ａ、Ａに平行に上下に折り目Ｃ、Ｃを設ける。そして、これらの折り目によって囲まれた複数の部位が中箱４００の各面を形成し、中央の矩形状の部位は夫々底面４１１、側壁４１２、４１２及びこれらの外側の蓋面４１３、４１３を示し、これらと直角方向の側壁４１４、４１４とこれらの外側に蓋面４１５、４１５を示す。この展開図のように広がりでは、取り扱いに不便なので長手方向、幅方向の寸法を小さくする。そのために、夫々左右の折り目Ｂ、Ｂ、Ｂの部位からこれらより外側の異形状の部位を中央内側へ折り曲げ、重ねる。次いで、上下の夫々折り目Ｃ、Ｃの部位からこれらより外側の側壁４１３、４１３を中央内側へ折り曲げ、重ねる。この状態を図４に中間折畳み体４２０として示す。この中間折畳み体４２０は扁平で略矩形状を示し、平面的に広がる外寸法は長手方向の寸法Ｘ１そして幅方向の寸法Ｙ１である。
【００１６】
他方の外箱３００を形成するために展開図である外箱段ボール紙３１０を図５に示す。外箱段ボール紙３１０は略矩形状をした一枚の段ボールから一部を削り取った形状で、所定の箇所に複数の折り目を設けてある。外箱段ボール紙３１０は、左右方向の折り目に沿って、上下方向に蓋部３４０、側壁部３５０および底部３６０に三分割される。図中の点線は折り目を示し、上下方向に蓋部、周壁部および底部に三分割されるように、折り目Ｄ、Ｄ、Ｄ及びＤを左右方向に備え、これに平行に下方に折り目Ｅ、Ｅ、Ｅ及びＥを備える。これらの折り目に囲まれる様に、左方から貼着片３５３、側壁３５１、側壁３５２、側壁３５１及び側壁３５２が並ぶ。この展開図のような広がりでは、取り扱いに不便なので長手方向、幅方向の寸法を小さくする。そのために、夫々左右の折り目Ｇ、Ｊの部位から夫々側壁を背面側へ折り曲げ重ねる。次いで、左端の貼着片３５３を折り目Ｆの部位から曲げて右端の側壁３５２の裏側に糊付けする。この状態を図６に中間折畳み体３２０として示す。この中間折畳み体３２０は扁平で略矩形状を示し、平面的に広がる外寸法は長手方向の寸法Ｘ２そして幅方向の寸法Ｙ２である。
【００１７】
以上に説明した中間折畳み体３２０、４２０を包装するための、所定形状の段ボール紙を折り曲げて形成した直方体状の包装箱１００を図７に示す。この包装箱１００は扁平で、平面的に広がる内法は長手寸法Ｘそして幅寸法Ｙである。包装箱１００のこれらの内法寸法は、前述した中間折畳み体３２０、４２０の外側の長手寸法Ｘ１、Ｘ２及び幅寸法Ｙ１、Ｙ２よりも大きい。この包装箱１００には、表面１２０とこの対向側に背面１３０及びこれらの側方を囲む側壁１４０、１４０、１５０、そしてこの側壁１５０に対向する他方の側壁に開口部１１０を備える。この開口部１１０は蓋面１１１、１１２及びこれらの両端に夫々蓋片１１３、１１３を備え、これらを区画するように折り目Ｌ、Ｍ及びＮを備える。また、開口部１１０側の上面１２０の中央に折り目Ｋを介して舌片１１４を備える。そして、上面１２０に窓孔１２１が矩形状に刳り貫かれている。また、上面１２０における一方の側壁１４０寄りに長孔１２２が刳り貫かれ、同様に背面１３０において前記長孔１２２と対応する位置に長孔１２３が刳り貫かれ、これらは手の複数指先を挿入できるように長孔の形状である。包装箱１００は以上の構成からなり、開口部１１０の蓋を閉じた状態を図８に示す。蓋面１１１、１１２を閉じた後、蓋が開かない様に舌片１１４を切れ目ａに挿入して係止する。窓孔１２１は矩形状に刳り貫くことで説明したが、中の折畳み体を外から観察できるように丸状又は楕円状の孔でもよい。
【００１８】
以上のように中間折畳み体３２０、４２０が折り上げられ、一方、これらを入れて包装する包装箱１００が折り上げられ、以下に包装箱１００の作用を説明する。
【００１９】
包装箱１００の内法は長手寸法Ｘ及び幅寸法Ｙであり、中間折畳み体３２０、４２０の外側の長手寸法Ｘ１、Ｘ２及び幅寸法Ｙ１、Ｙ２より僅かに大きくしてある。また、包装箱１００の高さも中間折畳み体３２０、４２０を重ねた厚さより大きくしてある。従って、中間折畳み体３２０、４２０を重ねて揃え、開口部１１０から包装箱１００の中に挿入、包装することができる。場合によっては、例えば保冷箱の内、外の中間折畳み体３２０、４２０を多数組重ねて包装することができるように、随時包装箱１００の内法高さを大きくする。
【００２０】
包装箱１００における表面１２０の略中央部に比較的大きい目の窓孔１２１を刳り貫いたので、開口部１１０を開けて中の物品を外に出すことなく外から観察することができる。あるいは、中に包装された中間折畳み体が汚れないように、この窓孔１２１を透明なビニールシートによって覆設することでもよい。更に、ビニールシートの内側に中保冷箱の用途等を説明する説明書、カタログ等を装着すると趣がある。
【００２１】
包装箱１００の一方の側壁１４０寄りで表面１２０に長孔１２２を設け、かつ、背面１３０において前記長孔１２２に対応する位置に同様な長孔１２３を設けたので、これらの長孔１２２、１２３に沿った側壁１４０を掌で跨るようにしてこれらの長孔に指先を挿入して包装箱１００を提げることができる。
【産業上の利用可能性】
【００２２】
なお、本考案の手提げ包装箱の使途は、段ボール製の他にプラスチック製の箱の中間折畳み体を折り曲げてコンパクトに包装し、提げて使用することができる。そして、保冷箱の他に電気電子工業材料、半導体用材料等工業部品、製品等を包装する箱の中間折畳み体を入れて提げる使い方をしてもよい。即ち、民生用から工業分野に至るまで箱の中間折畳み体を包装する用途に使用できる。また、包装箱の色として赤、黄、青、緑等のカラフルな色を採用し、目的、時期、場所に応じて色彩を楽しむことができる。
【図面の簡単な説明】
【００２３】
【図１】本考案の実施例に係る保冷箱２００の斜視図である。
【図２】同上、保冷箱の外箱３００の中に中箱４００を入れ子にした状態を示す斜視図である。
【図３】同上、中箱の展開図で段ボール紙４１０である。
【図４】同上、中箱の中間折畳み体４２０の斜視図である。
【図５】同上、外箱の展開図で、段ボール紙３１０である。
【図６】同上、外箱の中間折畳み体３２０の斜視図である。
【図７】同上、包装箱１００の一方の側壁を開口した状態を示す斜視図である。
【図８】同上、包装箱１００の表面における中央部に窓孔を示し、他方の側壁近傍の表面及び背面に手提げ用の長孔を示す斜視図である。
【符号の説明】
【００２４】
Ａ、Ｂ、Ｃ、Ｄ、Ｅ、Ｆ、Ｇ、Ｈ、Ｊ、Ｋ、Ｌ、Ｍ、Ｎ  折り目
ａ  切れ目
Ｘ、Ｙ、Ｘ１、Ｙ１、Ｘ２、Ｙ２  寸法
１００  包装箱
１１０  開口部
１１１、１１２  蓋面
１１３  蓋片
１１４  舌片
１２０  表面
１２１  窓枠
１２２、１２３  長孔
１３０  背面
１４０、１５０  側壁
２００  保冷箱
２１０  箱体
２１５  外蓋
２１６  係止孔
２２０  取っ手
２２１、２２２  長孔
３００  外箱
３１０  外箱段ボール
３２０  中間折畳み体
３４０  蓋部
３５０  側壁部
３６０  底部
３５１  側壁
３５２  側壁
３５３  貼着片
４００  中箱
４１０  中箱段ボール
４１１  底面
４１２  側壁
４１３  蓋面
４１４  側壁
４１５  蓋面
４２０  中間折畳み体
【図１】
0003136733.tif 000003
【図２】
0003136733.tif 000004
【図３】
0003136733.tif 000005
【図４】
0003136733.tif 000006
【図５】
0003136733.tif 000007
【図６】
0003136733.tif 000008
【図７】
0003136733.tif 000009
【図８】
0003136733.tif 000010
【手続補正書】
【提出日】平成19年8月22日(2007.8.22)
【手続補正１】
【補正対象書類名】実用新案登録請求の範囲
【補正対象項目名】請求項１
【補正方法】変更
【補正の内容】
【請求項１】
所定形状の段ボール紙を折り曲げて形成した直方体状の包装箱であって、表面（１２０）とこの対向側の背面（１３０）及びこれらの側方を囲む三方の側壁（１４０）、側壁（１５０）、側壁（１４０）を備えるとともに、前記側壁（１５０）に対向する開口部（１１０）を備え、前記表面（１２０）に窓孔（１２１）を備え、かつ、一方の前記側壁（１４０）寄りで、前記表面（１２０）及び前記背面（１３０）の対応する位置に夫々長孔（１２２）、（１２３）を備える、包装箱。
【手続補正２】
【補正対象書類名】明細書
【補正対象項目名】０００９
【補正方法】変更
【補正の内容】
【０００９】そこで、本考案者等は、例えば保冷箱の折り目を利用して、夫々内・外箱を略扁平な矩形状に、しかも夫々近似のサイズに折畳むことに着目した。そして、それらを重ねて別の箱へ包装し、更にこの箱に手提げ孔を設ける構想へと展開した。以上の構想の基に試作したところ、手提げ包装箱はコンパクトでしかも見栄えがよいという知見を得た。本考案の手提げ包装箱はかかる知見を基に具現化したもので、請求項１の考案は、所定形状の段ボール紙を折り曲げて形成した直方体状の包装箱であって、表面１２０とこの対向側の背面１３０及びこれらの側方を囲む三方の側壁１４０、側壁１５０、側壁１４０を備えるとともに、前記側壁１５０に対向する開口部１１０を備え、前記表面１２０に窓孔１２１を備え、かつ、一方の前記側壁１４０寄りで、前記表面１２０及び前記背面１３０の対応する位置に夫々長孔１２２、１２３を備える、包装箱である。
【手続補正３】
【補正対象書類名】明細書
【補正対象項目名】００１７
【補正方法】変更
【補正の内容】
【００１７】以上に説明した中間折畳み体３２０、４２０を包装するための、所定形状の段ボール紙を折り曲げて形成した直方体状の包装箱１００を図７に示す。この包装箱１００は扁平で、平面的に広がる内法は長手寸法Ｘそして幅寸法Ｙである。包装箱１００のこれらの内法寸法は、前述した中間折畳み体３２０、４２０の外側の長手寸法Ｘ１、Ｘ２及び幅寸法Ｙ１、Ｙ２よりも大きい。この包装箱１００には、表面１２０とこの対向側に背面１３０及びこれらの側方を囲む側壁１４０、１４０、１５０、そしてこの側壁１５０に対向する他方の側壁に開口部１１０を備える。この開口部１１０は蓋面１１１、１１２及びこれらの両端に夫々蓋片１１３、１１３を備え、これらを区画するように折り目Ｌ、Ｍ及びＮを備える。また、開口部１１０側の表面１２０の中央に折り目Ｋを介して舌片１１４を備える。そして、表面１２０に窓孔１２１が矩形状に刳り貫かれている。また、表面１２０における一方の側壁１４０寄りに長孔１２２が刳り貫かれ、同様に背面１３０において前記長孔１２２と対応する位置に長孔１２３が刳り貫かれ、これらは手の複数指先を挿入できるように長孔の形状である。包装箱１００は以上の構成からなり、開口部１１０の蓋を閉じた状態を図８に示す。蓋面１１１、１１２を閉じた後、蓋が開かない様に舌片１１４を切れ目ａに挿入して係止する。窓孔１２１は矩形状に刳り貫くことで説明したが、中の折畳み体を外から観察できるように丸状又は楕円状の孔でもよい。
【手続補正４】
【補正対象書類名】明細書
【補正対象項目名】００２４
【補正方法】変更
【補正の内容】
【００２４】Ａ、Ｂ、Ｃ、Ｄ、Ｅ、Ｆ、Ｇ、Ｈ、Ｊ、Ｋ、Ｌ、Ｍ、Ｎ  折り目ａ  切れ目Ｘ、Ｙ、Ｘ１、Ｙ１、Ｘ２、Ｙ２  寸法１００  包装箱１１０  開口部１１１、１１２  蓋面１１３  蓋片１１４  舌片１２０  表面１２１  窓孔１２２、１２３  長孔１３０  背面１４０、１５０  側壁２００  保冷箱２１０  箱体２１５  外蓋２１６  係止孔２２０  取っ手２２１、２２２  長孔３００  外箱３１０  外箱段ボール３２０  中間折畳み体３４０  蓋部３５０  側壁部３６０  底部３５１  側壁３５２  側壁３５３  貼着片４００  中箱４１０  中箱段ボール４１１  底面４１２  側壁４１３  蓋面４１４  側壁４１５  蓋面４２０  中間折畳み体